(57)【要約】【課題】遊技盤の裏面側に取り付けられる装置や基板ボックス等の部品あるいは部材が簡単には外れないようにすることのできる遊技機を簡単な構造によって提供すること。【解決手段】遊技盤１０と、これに設けられる裏面側部材２０と、この裏面側部材２０に取り付けた取付部材２０ａとを備えた遊技機であって、取付部材２０ａの裏面側部材２０に対する取り付けを第１固定部材５１によって行うとともに、裏面側部材２０の遊技盤１０に対する取り付けを第２固定部材５２によって行うようにするとともに、外周壁２１・２２を裏面側部材２０及び取付部材２０ａの両方にそれぞれ形成して、両外周壁２１・２２で各第１固定部材５１の周囲の少なくとも一部を二重に覆うようにしたこと。【選択図】図４
2009254545.tif 000002
【特許請求の範囲】
【請求項１】
遊技球が流下する遊技領域を前面に有する遊技盤と、この遊技盤の裏面に設けられる裏面側部材と、この裏面側部材のさらに裏面側に取り付けた取付部材とを備えた遊技機であって、
前記取付部材の前記裏面側部材に対する取り付けを、この裏面側部材の前面側から固定操作される第１固定部材によって行うとともに、前記裏面側部材の遊技盤に対する取り付けを、この裏面側部材の裏面側から固定操作される第２固定部材によって行うようにするとともに、
少なくとも前記第１固定部材について、その外周の少なくとも一部を囲む外周壁を前記裏面側部材及び取付部材の両方にそれぞれ形成して、これら両外周壁によって前記各第１固定部材の周囲の少なくとも一部を二重に覆うようにしたことを特徴とする遊技機。
【請求項２】
前記裏面側部材の一部を裏面側に突出させて、この突出部分を前記取付部材のための台座としたことを特徴とする請求項１に記載の遊技機。
【請求項３】
前記遊技盤が遊技球を裏面側に案内する球通しを有するととともに、前記裏面側部材が前記球通しからの遊技球を球通路を介して下流側に案内する通路形成部材である場合に、
前記取付部材及び裏面側部材の、少なくとも前記球通しの裏面に位置する部分を透明または半透明の透明部とし、前記基板取付部材に搭載した発光体を含む電気部品からの光を、前記各透明部を通して前記遊技盤の前面からの視認が可能となるようにしたことを特徴とする請求項１に記載の遊技機。
【発明の詳細な説明】
【技術分野】
【０００１】
本発明は遊技機に関し、特に、遊技盤と、この遊技盤の裏面に設けられて、入賞球やアウト球を島内に排出するために、これらの遊技球を下流側に案内する「集合板」と呼ばれる通路形成部材等の裏面側部材と、この裏面側部材の更に裏面側に取り付けた取付部材とを備えた遊技機に関するものである。
【背景技術】
【０００２】
遊技盤を有する遊技機においては、この遊技盤の前面に遊技球が流下する遊技領域が形成されているものであり、この遊技領域中には、遊技球の入賞口や始動口が設けてあり、一方、遊技領域の下方には、上記入賞口や始動口に入らなかった、所謂アウト球を、遊技盤の裏面側である島内に排出するためのアウト口が設けてある。
【０００３】
これらの始動口、入賞口あるいはアウト口に入った遊技球は、上記遊技盤の裏面側において、集計や排出を行い易くし、かつ遊技球を下流側に案内する目的で、一般には「集合板」と呼ばれる通路形成部材によって一箇所に集められながら、島内に排出されるようになっている。
【０００４】
一般の集合板は、文字通り遊技球を効率的に集めるために必要なものであり、その前面にて遊技盤の裏面に直接取り付けなければならないだけでなく、当該集合板の裏面に当該遊技機が必要する種々な装置や基板ボックスをさらに配置したり取り付けたりしなければならない。当該遊技機に使用されている装置や基板ボックスは、不正行為を行うために簡単に外されてはならないから、これを集合板の裏面側に簡単には外れないように取り付ける工夫がいる。
【０００５】
当該遊技機に使用されている装置や基板ボックスは、上記の集合板に限らず、それ以外の遊技盤の裏面側に取り付けられることがあり、その場合も、不正行為のために簡単に外されてはならない。従って、これらの装置や基板ボックスについても、遊技盤の裏面側であって集合板取付場所以外の部分から簡単には外されないように取り付けておく工夫がいる。
【０００６】
一方、この種の遊技機では、その遊技内容による遊技の面白さを向上させる努力がなされてきているものであるが、近年では、遊技領域内やその周囲において、動いたり、光ったりするものを積極的に取り入れることにより、遊技の面白さをさらに向上させることがなされてきている。特に、光による面白さの改良あるいは向上は、電気的制御がし易いＬＥＤ（発光ダイオード）が大きく発展している近年においては、動くものを採用するよりも容易であること、あるいは動くものと同時に採用し易いことから、例えば特許文献１にも示されているように、盛んに改良が加えられているものである。
【０００７】
特に、前述した集合板は、文字通り遊技球を効率的に集めるために必要なものではあるが、これを遊技機の装飾のために利用されることは、当該集合板が遊技者からは見えない遊技盤の裏面に設けられていることから、殆ど無かった。
【特許文献１】特開２００３−１９０５５３号公報
【発明の開示】
【発明が解決しようとする課題】
【０００８】
そこで、本発明者等は、遊技盤の裏面側に取り付けられる装置や基板ボックス等の部品あるいは部材が簡単には外れないようにするにはどうしたらよいか、について種々検討を重ねてきた結果、本発明を完成したのである。
【０００９】
すなわち、本発明の第１に目的とするところは、遊技盤の裏面側に取り付けられる装置や基板ボックス等の部品あるいは部材が簡単には外れないようにすることのできる遊技機を簡単な構造によって提供することにある。
【００１０】
また、本発明の他に目的とするところは、遊技盤の裏面側に取り付けられる装置や基板ボックス等の部品あるいは部材が簡単には外れないようにするとともに、今まで遊技機の装飾を行う部材として全く利用されて来なかった通路形成部材を有効に利用しながら、発光を利用した遊技の興趣を高めることのできる遊技機を提供することにある。
【課題を解決するための手段】
【００１１】
以上の課題を解決するために、まず、請求項１に係る発明の採った手段は、
「遊技球が流下する遊技領域を前面に有する遊技盤と、この遊技盤の裏面に設けられる裏面側部材と、この裏面側部材のさらに裏面側に取り付けた取付部材とを備えた遊技機であって、
前記取付部材の前記裏面側部材に対する取り付けを、この裏面側部材の前面側から固定操作される第１固定部材によって行うとともに、前記裏面側部材の遊技盤に対する取り付けを、この裏面側部材の裏面側から固定操作される第２固定部材によって行うようにするとともに、
少なくとも前記第１固定部材について、その外周の少なくとも一部を囲む外周壁を前記裏面側部材及び取付部材の両方にそれぞれ形成して、これら両外周壁によって前記各第１固定部材の周囲の少なくとも一部を二重に覆うようにしたことを特徴とする遊技機」
である。
【００１２】
すなわち、この請求項１に係る遊技機は、遊技球が流下する遊技領域を前面に有する遊技盤と、この遊技盤の裏面に設けられる裏面側部材と、この裏面側部材のさらに裏面側に取り付けた取付部材とを備えたものである。ここで、「裏面側」とは、例えば遊技盤を例に採れば、その遊技領域が形成されている面とは反対側を言い、「島内」に向かっている側と言うことになり、他の部材でも、これと同様に考えるものとする。当然、「表面側」とは、その部材について、遊技盤の遊技領域側（遊技者と面する側）となる側を言うことになる。
【００１３】
また、裏面側部材とは、文字通り、遊技機を構成する遊技盤の裏面に設けられるものであり、上述した通路形成部材や、遊技盤の裏面に設置される種々な装置のための取付板、あるいはこれらの取付板や通路形成部材に設けられた部分を言うものである。一方、取付部材とは、この裏面側部材のさらに裏面側に取り付けられるものであり、集合板の裏面側を覆う基板取付板、装置の枠体、あるいは基板ボックス等の取付板が該当することになる。
【００１４】
さて、この請求項１に係る遊技機は、前記遊技盤の裏面に設けられる裏面側部材のさらに裏面側に、取付部材を取り付けたものであるが、そのようにするために、まず、前記取付部材の前記裏面側部材に対する取り付けを、この裏面側部材の前面側から固定操作される第１固定部材によって行うようにしたものである。
【００１５】
この第１固定部材や次に述べる第２固定部材は、具体的には、スクリューネジ、ボルト・ナット、またはロックレバー付きボルトあるいはロッド等があるが、これらは、それぞれ、「操作部」であるネジ頭部、ナット、あるいはロックレバーを操作して固定されたり、逆にその固定を解除するものである。何れにしても、第１固定部材や次に述べる第２固定部材の操作部は、不正を行う場合に使用される部分であり、これらの第１固定部材や第２固定部材が不正に取り外されたり、固定されたりしないようにしておく必要がある。
【００１６】
その点、この請求項１の遊技機では、第１固定部材についての固定操作を、前記裏面側部材の前面側から行うものである。つまり、この請求項１の遊技機では、前記取付部材を前記裏面側部材から取り外そうとした場合には、その取り外し操作を前記裏面側部材の前面側から行わないとできない状態になっているのである。
【００１７】
換言すれば、この請求項１の遊技機では、前記取付部材の前記裏面側部材に対する取り付けを、この裏面側部材の前面側から「操作部」を使用して固定操作される第１固定部材によって行うようにしているのであるから、前記取付部材と裏面側部材とを一体化して一つの部品としておいてから、後述するように、裏面側部材を遊技盤の裏面側に固定できることを意味しているから、当該遊技機の製造工程の喩え一部でも簡略化でき、効率化できる。
【００１８】
そして、この請求項１の遊技機では、前記取付部材の前記裏面側部材に対する取り付けを行う前記第１固定部材について、その外周の少なくとも一部を囲む外周壁を前記裏面側部材及び取付部材の両方にそれぞれ形成してあるから、これら各第１固定部材の少なくとも操作部の周囲は、前記両外周壁によって二重に覆われることになる。
【００１９】
各第１固定部材の周囲の少なくとも一部（具体的には、主として前記操作部となる）が前記両外周壁によって二重に覆われることになれば、当該第１固定部材に工具を近づけさせようとしても、これら二重の外周壁によって阻まれているから、容易には行えない。勿論、これら二重の外周壁を壊すことは殆ど不可能である。
【００２０】
また、当該第１固定部材を取り外すために、裏面側部材の表面側から、または取付部材の裏面側から取り外し操作を行うことも考えられるが、特に各第１固定部材の少なくとも操作部（ネジであれば頭部となる）は、前記裏面側部材及び取付部材の両方にそれぞれ形成してある両外周壁によって二重に覆われているのであるから、これとても容易には行えないものとなっている。
【００２１】
一方、この請求項１に係る遊技機では、前記裏面側部材の遊技盤に対する取り付けを、この裏面側部材の裏面側から固定操作される第２固定部材によって行っている。つまり、裏面側部材の遊技盤に対する取り付けは、この裏面側部材の裏面側から第２固定部材によって行うのであるから、その固定作業が容易になっているのである。
【００２２】
従って、この請求項１の遊技機は、遊技盤の裏面側に取り付けられる装置や基板ボックス等の部品あるいは部材が簡単には外れないようになっているのであり、不正行為に強い構造のものとなっているのである。
【００２３】
上記課題を解決するために、請求項２に係る発明の採った手段は、上記請求項１の遊技機について、
「前記裏面側部材の一部を裏面側に突出させて、この突出部分を前記取付部材のための台座としたこと」
である。
【００２４】
すなわち、この請求項２に係る遊技機では、前記裏面側部材の一部を裏面側に突出させた台座としたものあるが、この台座によって取付部材の取付位置を、裏面側部材の台座以外の裏面から積極的に引き離すことになるのである。
【００２５】
以上の結果、この裏面側部材に取付部材の一部を取り付ければ、取付部材は裏面側部材の裏面から台座の高さ分だけ引き離されることになり、裏面側部材と取付部材との間に、当該遊技機に必要な他の部品や配線を配置する空間の形成が可能になる。
【００２６】
従って、この請求項２の遊技機は、上記請求項１のそれと同様な機能を発揮する他、裏面側部材と取付部材との間に、当該遊技機として必要な部品の配置空間を確保しているのである。
【００２７】
上記課題を解決するために、請求項３に係る発明の採った手段は、上記請求項１の遊技機について、
「前記遊技盤が遊技球を裏面側に案内する球通しを有するととともに、前記裏面側部材が前記球通しからの遊技球を球通路を介して下流側に案内する通路形成部材である場合に、
前記取付部材及び裏面側部材の、少なくとも前記球通しの裏面に位置する部分を透明または半透明の透明部とし、前記基板取付部材に搭載した発光体を含む電気部品からの光を、前記各透明部を通して前記遊技盤の前面からの視認が可能となるようにしたこと」
である。
【００２８】
すなわち、この請求項３に係る遊技機は、遊技盤の裏面側に取り付けられる装置や基板ボックス等の部品あるいは部材が簡単には外れないようにするとともに、今まで遊技機の装飾を行う部材として全く利用されて来なかった通路形成部材を有効に利用しながら、発光を利用した遊技の興趣を高めることのできる遊技機を提供するにはどうしたらよいか、との検討結果によりなされたもので、前記裏面側部材が、遊技盤に形成してある球通しからの遊技球を球通路を介して下流側に案内する通路形成部材である場合を想定したものであり、ＬＥＤ等の発光体を含む電気部品からの光を、前記各透明部を通して前記遊技盤の前面からの視認が可能となるようにしたものである。
【００２９】
そのために、この遊技機では、前記取付部材及び裏面側部材の、少なくとも前記球通しの裏面に位置する部分を透明または半透明の透明部とするとともに、前記基板取付部材にＬＥＤ等の発光体を含む電気部品を搭載して、この電気部品からの光が前記透明部を通して前記遊技盤の前面に照射し得るようにしたものである。
【００３０】
従って、この請求項３の遊技機は、上記請求項１と同様な機能を発揮する他、今まで遊技機の装飾を行う部材として全く利用されて来なかった通路形成部材を有効に利用して、発光を利用した遊技の興趣が高まったものとなっているのである。
【発明の効果】
【００３１】
以上、説明した通り、本発明においては、主として、
遊技球が流下する遊技領域を前面に有する遊技盤と、この遊技盤の裏面に設けられる裏面側部材と、この裏面側部材のさらに裏面側に取り付けた取付部材とを備えた遊技機であって、
前記取付部材の前記裏面側部材に対する取り付けを、この裏面側部材の前面側から固定操作される第１固定部材によって行うとともに、前記裏面側部材の遊技盤に対する取り付けを、この裏面側部材の裏面側から固定操作される第２固定部材によって行うようにするとともに、
少なくとも前記第１固定部材について、その外周の少なくとも一部を囲む外周壁を前記裏面側部材及び取付部材の両方にそれぞれ形成して、これら両外周壁によって前記各第１固定部材の周囲の少なくとも一部を二重に覆うようにしたこと」
にその構成上の特徴があり、これにより、遊技盤の裏面側に取り付けられる装置や基板ボックス等の部品あるいは部材が簡単には外れないようにすることのできる遊技機を簡単な構造によって提供することができるのである。
【００３２】
また、請求項３に係る発明においては、請求項１の遊技機について、
「前記遊技盤が遊技球を裏面側に案内する球通しを有するととともに、前記裏面側部材が前記球通しからの遊技球を球通路を介して下流側に案内する通路形成部材である場合に、
前記取付部材及び裏面側部材の、少なくとも前記球通しの裏面に位置する部分を透明または半透明の透明部とし、前記基板取付部材に搭載した発光体を含む電気部品からの光を、前記各透明部を通して前記遊技盤の前面からの視認が可能となるようにしたこと」
にその構成上の特徴があり、これにより、上記請求項１に係る遊技機と同様な効果を発揮する他、今まで遊技機の装飾を行う部材として全く利用されて来なかった通路形成部材を有効に利用しながら、発光を利用した遊技の興趣を高めることのできる遊技機を提供することができるのである。
【発明を実施するための最良の形態】
【００３３】
以上のように構成した各請求項に係る発明を、図面に示した最良の形態である遊技機に基づいて説明するが、この最良形態の遊技機は、図１〜図１５に示した第１実施例と、図１６〜図３１に示した第２実施例とがあるので、以下では各実施例毎に説明していくこととする。
【００３４】
（第１実施例）
図１及び図２には、本最良形態に係る遊技機で採用される遊技盤１０の正面図が示してある。この遊技盤１０の表面側のほぼ全域には、図１に示したように、遊技球が流下する遊技領域１０ａが形成してあり、この遊技領域１０ａの中央には、後述するシャッタ装置３０の各シャッタ３１によって開閉される開口１２が形成してある。
【００３５】
また、この遊技盤１０の中央下部には、遊技領域１０ａを流下してきた遊技球が入賞し得る始動口１３や入賞口等が設けてあり、これらの始動口１３や入賞口等に入らなかった遊技球は、当該遊技盤１０の最下端に形成してあるアウト口１４内に入るようにしてある。これら各始動口１３、やアウト口１４内に入った遊技球は、当該遊技盤１０に形成してある球通し１１から、通路形成部材である後述する集合板２０内へ転動するようにしてある。
【００３６】
遊技盤１０に形成してある各球通し１１は、機種に応じて、その位置、形状、及び数が種々変更されるものであるが、本最良形態では、図１中の点線、及び図８〜図１３に示したような、位置、形状、及び数のものである。これらの球通し１１は、図１２及び図１３に示したように、遊技盤１０の表裏に貫通しているものであり、これら各球通し１１の表面側の一部のものには、図１及び図２に示したように、上述した始動口１３やアウト口１４を設けたり、乱照射部材１５を設けたりしてある。
【００３７】
本最良形態の遊技盤１０の裏面側には、図３及び図５に示したように、当該遊技機の全体を制御する基板ボックス４０Ａを下部に設け、また中央部には、後述するシャッタ装置３０を制御するための基板ボックス４０Ｂを設けるようにしたものであり、これらの基板ボックス４０Ａ及び基板ボックス４０Ｂは、前述した裏面側部材で通路形成部材でもある集合板２０、及び裏面側部材であるシャッタ装置３０のための取付板３２の裏面側に取り付けられているものである。
【００３８】
なお、図６〜図１５に示した開口１２は、当該遊技盤１０に直接形成したものを指していて、図１及び図２に示した開口１２とは少し異なっている。つまり、図１及び図２に示した開口１２は、シャッタ装置３０を取り付けた後の飾り枠によって囲まれた開口を示し、図６〜図１５に示した開口１２は、シャッタ装置３０を取り付ける前の言わば「生」の開口を示しているものである。従って、図６〜図１５の開口１２には、それを示す符号を（）で囲んで「生」であることを示した。
【００３９】
これらの球通し１１の裏面側には、図７〜図１３に示したように、上述した裏面側部材あるいは通路形成部材である集合板２０が直接取り付けられるのであるが、この集合板２０は、その基本的形状を平板とするものであって、例えば透明な合成樹脂を材料として一体的に成形したものである。つまり、この集合板２０は、後述する基板取付板２０ａに搭載した電子部品からの光を、各球通し１１を通して遊技盤１０の前面側に照射できるようにしたものである。なお、この集合板２０の、各球通し１１に対向する部分のみを透明または半透明なものとするように実施してもよい。
【００４０】
この集合板２０の表面側、つまり遊技盤１０の裏面に対向する側の面には、図９、図１１〜図１３、及び図１４の（ｂ）に示したように、各球通し１１から転動してきた遊技球を一箇所に集めるための球通路２６が、当該集合板２０の基本構造である平板状態を維持しながら、各球通し１１の位置及び数に応じて形成してある。勿論、これら各球通路２６の上端は、始動口１３やアウト口１４に対向していて、各下端は、例えば球計数機などに向かうようにしてあり、最終的には島を構成している複数の遊技盤１０のための共通樋内に通じている。
【００４１】
なお、これらの球通路２６の一部については、図１２に示したように、その途中に収納部２６ａが形成してあり、この収納部２６ａは、当該集合板２０の裏面側に向けて開口している。この収納部２６ａ内には図示しない遊技球検知スイッチが嵌め込まれるのであり、この遊技球検知スイッチは、当該球通路２６内を通過した遊技球を検知して基板ボックス４０Ａ等にその通過信号を送信するものである。
【００４２】
また、この集合板２０の裏面側には、図４及び図１２に示したように、複数の第１筒部２１が形成してある。この第１筒部２１は、図４に示したように、後述する基板取付板２０ａ側の第２筒部２２内に収納または嵌合されることになるものであり、内部に第１固定部材５１の頭部を係止するための頸部を有したものである。この図４に示した第１筒部２１は、基板取付板２０ａ側の第２筒部２２内に収納または嵌合されるものであるが、これとは逆に基板取付板２０ａ側の第２筒部２２を収納または嵌合するようなものであってもよい。
【００４３】
さらに、この集合板２０の裏面側には、図５〜図１４に示したように、その平板部から遊技盤１０とは反対側に突出する突出部２０ｂが一体成形してある。この突出部２０ｂは、後述する基板ボックス４０Ａの取付板４１を取り付けるものであり、当該基板ボックス４０Ａを集合板２０から当該突出部２０ｂの高さ分だけ浮かした状態で、回動可能に取り付けるものである。つまり、この突出部２０ｂは、当該集合板２０及び次に述べる基板取付板２０ａの厚さ分の空間を作りながら、取付板４１を集合板２０に対して回動可能に取り付けることを可能にするものであって、結果的に、集合板２０及び基板取付板２０ａを遊技盤１０の裏面側に固定したまま、取付板４１とともに基板ボックス４０Ａを開閉可能に支持することになるものである。
【００４４】
なお、この突出部２０ｂにおける基板ボックス４０Ａの取り付けは、図７〜図１４に示したように、金属製のヒンジ２３を介してなされる。このヒンジ２３は、その枢着部分を裏面側に向かうようにしながら突出部２０ｂ内に挿入され、この突出部２０ｂから裏面側に突出したヒンジ２３の枢着部分に、取付板４１が、例えば図１０〜図１３に示したように取り付けられるのである。この場合、本実施例では、取付板４１と基板ボックス４０Ａとをベース部材４５によって連結するとともに、このベース部材４５に連結金具４６を連結して、この連結金具４６を上記ヒンジ２３の枢着部分に枢着することにより、達成するようにしている。
【００４５】
さて、本第１実施例に係る遊技機では、上述した集合板２０の裏面側に、図１５に示したように、集合板２０と同じような透明または半透明材料からなり、その基本形態を平板状のものとした基板取付板２０ａを一体化するようにしている。この基板取付板２０ａは、図１２及び図１３に示したように、上述した集合板２０の裏面側に一体的に取り付けられるものであるが、この取り付けは、図４に示したようにしてなされる。
【００４６】
すなわち、この基板取付板２０ａの裏面側には、図１３、及び図１５の（ｂ）に示したように、集合板２０側の各第１筒部２１に対向する位置に、各第２筒部２２が平板部分から突出するように形成してあり、これら各第２筒部２２内には第１固定部材５１を固定するためのネジ込み部２２ａが形成してあるから、これらの第２筒部２２及び前述した第１筒部２１が互いに二重壁を構成するように基板取付板２０ａを集合板２０に嵌め込んで、各第１筒部２１及び第２筒部２２の位置で第１固定部材５１を、集合板２０の前面側からネジ込み部２２ａにネジ込んで、当該基板取付板２０ａの集合板２０に対する一体化を行うのである。
【００４７】
なお、本実施例の第２筒部２２では、その前端が集合板２０の平板部の裏面側に当接する高さのものとしてあって、集合板２０の平板部から裏面側に突出する各球通路２６の高さと同じにしてある。このため、この基板取付板２０ａは、これを集合板２０に取り付けたとき、その平板部が各球通路２６に当接して、上記第１筒部２１と第２筒部２２との嵌合部における第１固定部材５１による連結ともあいまって、集合板２０に対して完全に平行状態で固定される。
【００４８】
さて、この基板取付板２０ａの裏面側には、図７、図１２、図１４及び図１５の各（ａ）に示したように、基板収納部２４が複数形成してある。各基板収納部２４は、文字通り基板やＬＥＤ等の電子部品を収納する部分であり、前述した遊技盤１０側の球通し１１にも対向する部分に形成されているものである。このため、この基板収納部２４内に収納した基板が有するＬＥＤ等の電子部品が機能したときには、このＬＥＤからの光が、当該基板取付板２０ａ、その表面側の集合板２０、そして各球通し１１を通して、遊技盤１０の表面側からの視認が十分可能となるのである。
【００４９】
なお、本実施例の各基板収納部２４については、その一部を基板止め２５によって覆うようにしている。この基板止め２５は、基板収納部２４内に電子部品や基板を収納した後に、当該基板収納部２４の近傍に位置する基板取付板２０ａの裏面側に取り付けるものであり、これいよって、一旦収納した基板や電子部品を外れないようにするものである。また、図１４の（ａ）に示したように、当該基板取付板２０ａの裏面側には開口２４ａが設けてあり、この開口２４ａから、上記集合板２０側の収納部２６ａが臨むようになっている。換言すれば、この開口２４ａからは、当該基板取付板２０ａを集合板２０に一体化した後に、遊技球検知スイッチを収納部２６ａ内に収納することができるものである。
【００５０】
さて、本第１実施例の遊技機においては、図１〜図３、及び図５に示したように、シャッタ装置３０を採用しているものであった。このシャッタ装置３０は、図１及び図２にも示したように、上下に開閉する２枚のシャッタ３１を有しているものであり、その裏面側の基板ボックス４０Ｂの制御によって、開閉されるものである。この開閉されるシャッタ３１は、図５に示した案内レール３４によって案内される。
【００５１】
このようなシャッタ装置３０も、当然、遊技盤１０の裏面側に取り付けなければならないが、そのために、当該シャッタ装置３０は、遊技盤１０の裏面側に取り付けられる取付板３２と、この取付板３２の裏面側に取り付けられる枠体３３を有しているのである。
【００５２】
取付板３２は、前述した集合板２０と同様に、遊技盤１０の裏面側に直接取り付けられるものであって、請求の範囲で言う裏面側部材に該当するものである。また、枠体３３は、取付板３２に当該シャッタ装置３０を取り付けるために使用されるもので、取付板３２の裏面側に取り付けられるものであって、請求の範囲で言う取付部材に該当するものである。
【００５３】
取付板３２については、図示はしていないが、集合板２０における第１筒部２１と同様な筒部が形成されるものであり、枠体３３についても、基板取付板２０ａにおける第２筒部２２と同様な筒部が形成される。そして、枠体３３の取付板３２に対する取り付けは、取付板３２の前面側から固定操作される第１固定部材５１等によって行われ、取付板３２の遊技盤１０に対する取り付けは、取付板３２の裏面側から固定操作される第２固定部材５２等によって行われ、かつ各筒部が互いに嵌合される状態でなされる。なお、このシャッタ装置３０用の基板ボックス４０Ｂについても、上記基板ボックス４０Ａにおいて使用されたベース部材４５や連結金具４６が採用されることもある。
【００５４】
（第２実施例）
さて、図１６〜図３１には、本発明の第２実施例に係る遊技機が示してある。この第２実施例に係る遊技機の説明において、上記第１実施例の説明で使用したのと同様な部材が図１６〜図３１中にある場合、第１実施例の説明で使用したのと同じ符号を図面中に付して、その詳細な説明を省略することがある。
【００５５】
まず、この第２実施例の遊技盤１０においては、図１６及び図１７に示したように、第１実施例におけるような開口１２はない。第１実施例で採用していたシャッタ装置３０は使用しないタイプの遊技機だからである。そして、この第２実施例の遊技機では、集合板２０に突出部２０ｂを積極的に形成しておいて、この突出部２０ｂに基板ボックス４０Ｃを取り付けるようにしている。
【００５６】
ところで、この実施例においても、集合板２０自体を遊技盤１０の裏面側に取り付けなければならないが、その際には、図１７に示したように、遊技盤１０側の取付穴１６と、集合板２０側の取付部２７とにそれぞれ嵌合される取付部材１７を採用するようにしている。この取付部材１７は、そのアンカー部が、遊技盤１０側の取付穴１６と、集合板２０側の取付部２７とに挿入された後に開くことによって、取付穴１６と取付部２７とに対する固定がなされるものであり、取付後にこのアンカー部を閉じることはできないものになっている。従って、この集合板２０の遊技盤１０に対する取り付けは、取付部材１７によって簡単に行え、逆に、その取り外しは殆ど不可能なものになっている。
【００５７】
この遊技機の遊技盤１０の裏面側には、基板ボックス４０Ｃが取り付けられるのであるが、この基板ボックス４０Ｃは、図１８及び図１９に示したように、集合板２０の裏面側に取り付けた取付板４１のさらに裏面側に配置されて、図示左側部分にて開閉可能に取り付けられるものである。
【００５８】
つまり、集合板２０の裏面側には、基板ボックス４０Ｃのための取付板４１が取り付けられるのであるが、この取付板４１は、図２０に示したように、集合板２０と一体的で取付板４１の図示左側部分に突出してきている突出部２０ｂに、第１固定部材５１を使用して取り付けられるものである。ここで、図２０に示したように、突出部２０ｂには第１筒部２１が形成してあり、取付板４１には各第１筒部２１に対向する第２筒部２２が形成してあって、これらの第１筒部２１及び第２筒部２２によって二重壁を形成しながら、第１固定部材５１による固定がなされるようになっている。換言すれば、集合板２０と取付板４１とを一体化している各第１固定部材５１は、第１筒部２１と第２筒部２２による二重の外周壁で囲まれているのであり、この第１固定部材５１へのアクセスは殆ど不可能になっている。なお、この第２実施例に係る集合板２０は、その裏面側の形状を、図２３に示したようなものにしてある。
【００５９】
一方、この取付板４１に対する基板ボックス４０Ｃの開閉自在な連結は、図２０にも示したように、第１固定部材５１によって一体化された集合板２０と取付板４１との間に、当該基板ボックス４０Ｃに形成した枢軸４３を枢支することにより達成している。この枢軸４３は、図２１及び図２２に示したベース部材４５に一体化されているものであり、ベース部材４５そのものは基板ボックス４０Ｃの裏面に取り付けられるものである。
【００６０】
さて、取付板４１に立ち返ってみると、この取付板４１の裏面側には、図１８及び図１９の各（ｂ）、図２１、図２２、及び図２４〜図２６に示したように、複数の基板収納部２４が形成してあり、この基板収納部２４には、第１実施例の場合と同様に、ＬＥＤ等の電子部品が収納されるものである。勿論、この第２実施例における集合板２０も取付板４１も透明または半透明材料から形成したものであり、基板収納部２４内に収納した電子部品であるＬＥＤから発せられた光が、これらの集合板２０及び取付板４１を通して、遊技盤１０側の球通し１１から遊技盤１０の前面側から視認できるようにしてある。
【００６１】
また、集合板２０及び、これに取り付けられた取付板４１には、図２１及び図２２に示した複数のストッパ４２が、図２７及び図２８に示したように組み付けられる。各ストッパ４２は、図３１に示したように、スプリング部材４２ａをスプリングケース４２ｂ内に組み込んで構成したものであって、スプリング部材４２ａは図３０に示したような構造のものであり、スプリングケース４２ｂは図２９に示したような構造のものである。
【００６２】
これら各ストッパ４２は、図２７及び図２８に示したように、互いに一体化された集合板２０及び取付板４１によって形成した空間内に収納されて、基板ボックス４０Ｃの突出部２０ｂとは反対側裏面に一体化した係合突起４４の係止を、図２７の（ａ）及び図２８の（ｃ）に示したように行うものである。
【００６３】
図２７には、基板ボックス４０Ｃの取付板４１からの取り外し状況を、（ａ）〜（ｃ）の順に示してあり、図２７の（ａ）ではストッパ４２による係合突起４４の係合状態を示し、図２７の（ｂ）では基板ボックス４０Ｃを矢印方向に移動させることによりストッパ４２による係合突起４４の係合を解く状態を示し、図２７の（ｃ）では係合突起４４での係合が解かれた基板ボックス４０Ｃを開放している状態が示してある。
【００６４】
図２８には、基板ボックス４０Ｃを取付板４１に取り付ける状況を、（ａ）〜（ｃ）の順に示してあり、図２８の（ａ）では係合突起４４での係合が解かれた基板ボックス４０Ｃを閉じている状態を示し、図２８の（ｂ）ではスプリング部材４２ａの付勢力に抗して基板ボックス４０Ｃをストッパ４２内に押し込んでいる状態を示し、図２８の（ｃ）ではストッパ４２による係合突起４４の係合が完了した状態が示してある。
【図面の簡単な説明】
【００６５】
【図１】本発明に係る遊技機を構成している遊技盤を示すもので、シャッタ装置のシャッタが閉じた状態の正面である。
【図２】同遊技機を構成している遊技盤を示すもので、シャッタ装置のシャッタが開いた状態の正面である。
【図３】同遊技盤の背面図である。
【図４】同遊技盤の裏面側に取り付けられた集合板と基板取付板との関係を第１固定部材を中心にして見た部分拡大縦断面図である。
【図５】同遊技盤を背面からみた斜視図である。
【図６】同遊技盤の裏面に基板ボックスだけを取り付けた状態を示すもので、（ａ）は左側からみた斜視図、（ｂ）は右側からみた斜視図、（ｃ）は遊技盤の背面図である。
【図７】図６に示した状態から、基板ボックス及び取付板を取り外した様子を示す遊技盤の裏面側拡大分解斜視図である。
【図８】図７に示した状態から、さらに集合板及び基板取付板も取り外した状態の遊技盤の裏面側分解斜視図である。
【図９】図８に示したものを前面側からみた分解斜視図である。
【図１０】図８の状態からさらに取付板を開放した状態を示す分解斜視図である。
【図１１】図１０に示したものを前面側からみた分解斜視図である。
【図１２】遊技盤の裏面側の取り付けられた各部品の殆どを分解して示した斜視図である。
【図１３】図１２に示したものを前面側からみた分解斜視図である。
【図１４】遊技盤に基板取付板を取り付けたものを示すもので、（ａ）は裏面側からみた斜視図、（ｂ）は前面側からみた斜視図である。
【図１５】遊技盤に取り付けた基板取付板を示すもので、（ａ）は裏面側からみた斜視図、（ｂ）は前面側からみた斜視図である。
【図１６】第２実施例に係る遊技盤の裏面側から見た斜視図である。
【図１７】図１６に示したものの分解斜視図である。
【図１８】第２実施例に係る遊技盤の裏面側に取り付けられる集合板、取付板及び基板ボックスを裏面側左方から見た状態を示すもので、（ａ）は取付状態を示す斜視図、（ｂ）は基板ボックスを開放した状態を示す斜視図である。
【図１９】同遊技盤の裏面側に取り付けられる集合板、取付板及び基板ボックスを裏面側右方から見た状態を示すもので、（ａ）は取付状態を示す斜視図、（ｂ）は基板ボックスを開放した状態を示す斜視図である。
【図２０】同遊技盤の裏面側に取り付けられた集合板と突出部との関係を第１固定部材を中心にして見た部分拡大縦断面図である。
【図２１】同遊技盤の裏面側に取り付けられた集合板と突出部等を分解して裏面左方から見た斜視図である。
【図２２】図２１に示した状態を裏面右方から見た斜視図である。
【図２３】同遊技盤の背面図である。
【図２４】同取付板を裏面側から見た状態を示す斜視図である。
【図２５】同取付板を前面側から見た状態を示す斜視図である。
【図２６】同取付板を示すもので、（ａ）〜（ｆ）は、順に、背面図、平面図、底面図、右側面図、左側面図、及び正面図である。
【図２７】基板ボックスを取付板から開放する場合の手順と作用を（ａ）〜（ｃ）の順に、固定状態、基板ボックスの移動状態、及び開放状態として示す部分拡大横断面図である。
【図２８】基板ボックスを取付板に閉じる場合の手順と作用を（ａ）〜（ｃ）の順に、基板ボックスの押し込み状態、スプリング部材の待避状態、及び完全閉じ状態として示す部分拡大横断面図である。
【図２９】ストッパを構成しているスプリングケースを示すもので、（ａ）〜（ｈ）は、順に、左側から見た斜視図、右側から見た斜視図、正面図、平面図、底面図、右側面図、左側面図、及び背面図である。
【図３０】ストッパを構成しているスプリング部材を示すもので、（ａ）〜（ｈ）は、順に、左側から見た斜視図、右側から見た斜視図、正面図、平面図、底面図、右側面図、左側面図、及び背面図である。
【図３１】スプリングケース及びスプリング部材からなるストッパを示すもので、（ａ）〜（ｈ）は、順に、左側から見た斜視図、右側から見た斜視図、正面図、平面図、底面図、右側面図、左側面図、及び背面図である。
【符号の説明】
【００６６】
１０    遊技盤
１０ａ  遊技領域
１１    球通し
１２    開口
１３    始動口
１４    アウト口
１５    乱照射部材
１６    取付穴
１７    取付部材
２０    集合板（通路形成部材または裏面側部材）
２０ａ  基板取付板（取付部材）
２０ｂ  突出部（裏面側部材）
２１    第１筒部（外周壁）
２２    第２筒部（外周壁）
２２ａ  ネジ込み部
２３    ヒンジ
２４    基板収納部
２５    基板止め
２６    球通路
２６ａ  収納部
２７    取付部
３０    シャッタ装置
３１    シャッタ
３２    取付板（裏面側部材）
３３    枠体（取付部材）
４０Ａ  基板ボックス
４０Ｂ  基板ボックス
４０Ｃ  基板ボックス
４１    取付板（取付部材）
４２    ストッパ
４２ａ  スプリング部材
４２ｂ  スプリングケース
４３    枢軸
４４    係合突起
４５    ベース部材
４６    連結金具
５１    第１固定部材
５２    第２固定部材
【図１】
2009254545.tif 000003
【図２】
2009254545.tif 000004
【図３】
2009254545.tif 000005
【図４】
2009254545.tif 000006
【図５】
2009254545.tif 000007
【図６】
2009254545.tif 000008
【図７】
2009254545.tif 000009
【図８】
2009254545.tif 000010
【図９】
2009254545.tif 000011
【図１０】
2009254545.tif 000012
【図１１】
2009254545.tif 000013
【図１２】
2009254545.tif 000014
【図１３】
2009254545.tif 000015
【図１４】
2009254545.tif 000016
【図１５】
2009254545.tif 000017
【図１６】
2009254545.tif 000018
【図１７】
2009254545.tif 000019
【図１８】
2009254545.tif 000020
【図１９】
2009254545.tif 000021
【図２０】
2009254545.tif 000022
【図２１】
2009254545.tif 000023
【図２２】
2009254545.tif 000024
【図２３】
2009254545.tif 000025
【図２４】
2009254545.tif 000026
【図２５】
2009254545.tif 000027
【図２６】
2009254545.tif 000028
【図２７】
2009254545.tif 000029
【図２８】
2009254545.tif 000030
【図２９】
2009254545.tif 000031
【図３０】
2009254545.tif 000032
【図３１】
2009254545.tif 000033